(57)【特許請求の範囲】
【請求項１】
装置本体の操作面に配設した複数のスイッチと、
前記スイッチを覆うように前記操作面上に配設され前記操作面の外面を形成するシートとを備え、
前記スイッチの直上領域に位置する前記シートのボタン部のうちの一部のみが、エンボス加工が施されたエンボス加工部として形成され、
前記ボタン部は、第１のボタン部と前記第１のボタン部に隣接する第２のボタン部を含み、
前記第１のボタン部、又は、前記第１のボタン部と前記第２のボタン部との中間点より前記第１のボタン部に近い位置には、前記ボタン部の直下に位置する前記スイッチが担当する機能を表示する機能表示文字が示され、
前記エンボス加工部に示された前記機能表示文字は、他の前記機能表示文字とは濃さまたは色が異なり、
前記エンボス加工部における前記機能表示文字は、前記エンボス加工部のサイズより大きく、その一部が前記エンボス加工部からはみ出す、
リモコン装置。
【請求項２】
前記エンボス加工部は、直下の前記スイッチが担当する機能と関連した形状にエンボス加工が施される、
請求項１に記載のリモコン装置。
【請求項３】
前記エンボス加工部は表面に凹部を設けてエンボス加工が施されたエンボス加工部を含む、
請求項１または２に記載のリモコン装置。
【発明の詳細な説明】
【技術分野】
【０００１】
本発明は、テレビ受像機などに使用するリモコン装置に関する。
【背景技術】
【０００２】
テレビ受像機などの電化製品が多機能になるにつれ、これらの電化製品を操作するリモコン装置は多数のボタンを備えるようになった。そのため、リモコン装置には様々な操作を行うことが可能であると共に、容易に操作することが可能であることが求められる。
【０００３】
リモコン装置に設けられるボタンの中には、一般なユーザーが高い頻度で使用するボタンもあれば、特定のユーザーしか使用せず、一般的には使用頻度が低いボタンもある。そのため、使用頻度が異なるこれらのボタンをリモコン装置上に同じ形態で設けると、一般のユーザーにとっては頻繁に用いるボタンがどこにあるのかが分かりにくく、複雑なリモコン装置であるとの印象を与える場合がある。また、ユーザーが誤操作する可能性が高くなり、混乱を招く場合もある。
【０００４】
そのため、例えば特許文献１では、日常頻繁に使用する操作ボタンだけを露出させ、それ以外のボタンを操作できないように覆う蓋カバーをリモコンに設けることが記載されている。
【先行技術文献】
【特許文献】
【０００５】
【特許文献１】登録実用新案第３１０３２６３号公報
【発明の概要】
【発明が解決しようとする課題】
【０００６】
ところが、特許文献１のように蓋カバーという別部品を設けると、リモコンの厚みが増してしまい、リモコン装置の小型化にとって弊害となる。
【０００７】
そこで、本発明は別部品を設けることなく、使用頻度の高いボタンを他のボタンと区別するリモコン装置の提供を目的とする。
【課題を解決するための手段】
【０００８】
本発明のリモコン装置は、装置本体の操作面に配設した複数のスイッチと、前記スイッチを覆うように前記操作面上に配設され前記操作面の外面を形成するシートとを備え、前記スイッチの直上領域に位置する前記シートのボタン部のうちの一部のみが、エンボス加工が施されたエンボス加工部として形成され、ボタン部は、第１のボタン部と第１のボタン部に隣接する第２のボタン部を含み、第１のボタン部、又は、第１のボタン部と第２のボタン部との中間点より第１のボタン部に近い位置には、ボタン部の直下に位置するスイッチが担当する機能を表示する機能表示文字が示され、エンボス加工部に示された機能表示文字は、他の機能表示文字とは濃さまたは色が異なり、エンボス加工部における機能表示文字は、エンボス加工部のサイズより大きく、その一部がエンボス加工部からはみ出す。
【発明の効果】
【０００９】
本発明のリモコン装置では、シートのボタン部のうちの一部のみが、エンボス加工が施されたエンボス加工部として形成されるので、高い頻度で使用するスイッチに対応するボタン部に限ってエンボス加工を施せば、ユーザーは高い頻度で使用するボタン部を見分け易くなり、操作性が向上する。また、ボタン部は、第１のボタン部と第１のボタン部に隣接する第２のボタン部を含み、第１のボタン部、又は、第１のボタン部と第２のボタン部との中間点より第１のボタン部に近い位置には、ボタン部の直下に位置するスイッチが担当する機能を表示する機能表示文字が示され、エンボス加工部に示された機能表示文字は、他の機能表示文字とは濃さまたは色が異なり、エンボス加工部における機能表示文字は、エンボス加工部のサイズより大きく、その一部がエンボス加工部からはみ出すので、エンボス加工された使用頻度の高いボタン部の機能表示文字を他よりも目立つように表示すれば、ユーザーは使用頻度の高いボタン部を容易に見つけることができ、操作性が向上する。
【図面の簡単な説明】
【００１０】
【図１】実施の形態１に係るリモコン装置の構成を示す斜視図である。
【図２】実施の形態２に係るリモコン装置の構成を示す斜視図である。
【図３】本発明の前提技術に係るリモコン装置の構成を示す斜視図である。
【図４】本発明の前提技術に係るリモコン装置の構成を示す斜視図である。
【発明を実施するための形態】
【００１１】
（前提技術）
図３，４は、本発明の前提技術に係るシートタイプのリモコン装置の構成を示す斜視図である。ここでは、装置本体の操作面に形成されたスイッチを覆うように樹脂シートなどのシートが設けられた形態のリモコン装置をシートタイプと定義する。
【００１２】
図３に示すリモコン装置１０において、シート２０のうち、スイッチの直上に位置する部分をボタン部３０とする。ボタン部３０にはエンボス加工が施されて凸部が形成されており、ユーザーはボタン部３０の凸部を押すことによりボタン部３０の直下のスイッチを操作する。
【００１３】
しかしながら、リモコン装置１０では全てのボタン部３０に対して同様にエンボス加工
が施されているので、何が通常使用するボタンであるのかが判りにくい。また、一般的には使用頻度の低いボタンも他のボタンと同様に目立つように形成されているので、一般のユーザーにとってはボタンの数が多く見え、多機能で難しいリモコン装置であるかのように感じる。
【００１４】
一方、図４に示すリモコン装置１０では、シート２０のボタン部３１にエンボス加工を施さずフラットに形成している。ボタン部３１には、エンボス加工の代わりにボタン部３１を明示する枠が描かれ、ユーザーは枠を目印にボタン部３１を押すことによって、ボタン部３０の直下のスイッチを操作する。
【００１５】
しかしながら、リモコン装置１０では全てのボタン部３１がフラットに形成されているため、リモコン装置１０と同様に、何が通常使用するボタンであるかが判りにくく、ボタン部３１の機能表示を読んでボタンを押す必要がある。
【００１６】
（実施の形態１）
図１は、実施の形態１に係るシートタイプのリモコン装置の構成を示す斜視図である。
【００１７】
図１に示す本実施の形態のリモコン装置１では、装置本体の操作面にスイッチ４ａ，４ｂが設けられ、スイッチ４ａ，４ｂを覆うように操作面上にシート２が設けられる。シート２は操作面の外面を形成しており、スイッチ４ａ，４ｂの真上に位置する部分をそれぞれボタン部３ａ，３ｂとする。ユーザーはボタン部３ａを押すことでスイッチ４ａを操作する。ボタン部３ｂについても同様である。
【００１８】
さらに、ボタン部３ａ，３ｂあるいはその近傍には、直下のスイッチ４ａ，４ｂが担当する機能を表示する機能表示文字が示される。例えばスイッチ４ａが電源スイッチであれば、スイッチ４ａの直上のボタン部３ａの近傍に機能表示文字５ａとして“Ｐｏｗｅｒ”などの文字を表示する。ユーザーはこれにより、ボタン部３ａを押すことで電源の操作が可能であることを認識する。また、スイッチ４ｂが録画スイッチであれば、スイッチ４ｂの直上のボタン部３ｂに機能表示文字５ｂとして“ＲＥＣ”などの文字を表示する。ユーザーはこれにより、ボタン部３ｂを押すことで録画の操作が可能であることを認識する。
【００１９】
ここで、一般的なユーザーにとって、電源ボタンは使用頻度が高く、録画ボタンは使用頻度が少ないボタンであるとする。使用頻度の少ないボタンを使用頻度の高いボタンと同じ形態で設けると、ユーザーは使用頻度の高いボタンを見つけにくく、操作が難しいとの印象を持ちかねない。
【００２０】
そこで、電源スイッチ４ａに対応するボタン部３ａではシート２にエンボス加工を施して凸部を形成する一方、録画スイッチ４ｂに対応するボタン部３ｂではシート２にエンボス加工を施さず平坦な状態にする。このように、ボタン部のうちの一部のみ、特に、高い頻度で使用するスイッチに対応するボタン部に限ってシート２にエンボス加工を施すことにより、ユーザーは高い頻度で使用するボタン部を見分け易くなり、操作性が向上する。
【００２１】
ボタン部をゴムで構成する形態のリモコン装置では、ボタン部をフラットにすると押しにくくなるところ、本実施の形態のリモコン装置はシートタイプであるため、ボタン部に対してエンボス加工を施す部分と施さない部分とを作り分けることが可能である。
【００２２】
また、エンボス加工部に示された機能表示文字は、他の機能表示文字とは濃さを変えて表示しても良い。例えば図１では、機能表示文字５ｂ“ＲＥＣ”はエンボス加工部の機能表示文字５ａ“Ｐｏｗｅｒ”よりも薄く表示される。このように、使用頻度の低いスイッチに対応した機能表示文字は、使用頻度の高いスイッチに対応した機能表示文字よりも薄く表示することにより、一般のユーザーは通常使用するボタンとそれ以外のボタンを容易に区別することができるので、リモコン装置の操作性が向上する。なお、機能表示文字の濃さを調整する他、スイッチの使用頻度に応じて色やサイズを調整することによっても、同様の効果を奏する。
【００２３】
＜効果＞
本実施の形態のリモコン装置１は、装置本体の操作面に配設した複数のスイッチ４ａ，４ｂと、スイッチ４ａ，４ｂを覆うように前記操作面上に配設され前記操作面の外面を形成するシート２とを備え、スイッチ４ａ，４ｂの直上領域に位置するシート２のボタン部３ａ，３ｂのうちの一部のみが、エンボス加工が施されたエンボス加工部として形成される。使用頻度の高いボタン部にのみエンボス加工を施すことにより、使用頻度の高いボタンが分かり易く、操作性の良いリモコン装置となる。
【００２４】
また、ボタン部３ａ，３ｂ又はその近傍には、ボタン部３ａ，３ｂの直下に位置するスイッチ４ａ，４ｂが担当する機能を表示する機能表示文字が示され、前記エンボス加工部に示された機能表示文字は、他の前記機能表示文字とは濃さ、色、またはサイズが異なるので、エンボス加工された使用頻度の高いボタン部の機能表示文字を他よりも目立つように表示すれば、ユーザーは使用頻度の高いボタン部を容易に見つけることができ、操作性が向上する。
【００２５】
（実施の形態２）
＜構成＞
図２は、実施の形態２に係るシートタイプのリモコン装置１の構成図である。図２において、図１で示す構成要素と同一又は対応する構成要素には同一の参照符号を付している。本実施の形態のリモコン装置１では、エンボス加工を施すボタン部において、対応するスイッチが担当する機能に関連した形状にエンボス加工を施す。
【００２６】
例えば、再生スイッチに対応するボタン部３ｃでは、三角形状にエンボス加工を施すと共に、機能表示文字５ｃ“ＰＬＡＹ”を表示する。また、ボタン部３ｄでは、“２”の形状にエンボス加工を施す。このように、ボタン部のエンボス加工を施す部分（エンボス加工部）では、直下のスイッチが担当する機能と関連した形状にエンボス加工を施すことにより、ユーザーは機能表示文字を読まなくともボタン部の形状そのものから直下のスイッチの機能を認識することができ、操作性が向上する。
【００２７】
また、ボタン部３ｅでは、エンボス加工を施すと共に、エンボス加工部の表面に凹部を設けている。使用頻度の高いボタン部では、他のボタン部に比べてエンボス加工の寸法を大きくすることがあるが、このような場合にボタン部の直下に位置するスイッチはボタン部に比べてサイズが小さく、ボタン部を押してもスイッチを操作できない可能性がある。そこで、ボタン部３ｂの中でスイッチを操作できる位置に凹部を設けることにより、ボタン部３ｅを押そうとするユーザーの指は凹部に誘導されるため、確実にスイッチを操作することができる。
【００２８】
＜効果＞
本実施の形態のリモコン装置において、エンボス加工部は、直下のスイッチが担当する機能と関連した形状にエンボス加工が施されるので、ユーザーはボタン部の形状そのものから直下に位置するスイッチの機能を認識することができ、操作性が向上する。
【００２９】
また、エンボス加工部は表面に凹部を設けてエンボス加工が施されたエンボス加工部を含むので、エンボス加工の範囲が大きい場合でも、ユーザーの指は凹部に誘導されるので、確実にスイッチを操作することができる。
【産業上の利用可能性】
【００３０】
本発明は、例えばＢＤレコーダー等の多機能リモコンに適用できる。
【符号の説明】
【００３１】
１，１０  リモコン装置、２，２０  シート、３ａ，３ｂ，３ｃ，３ｄ，３ｅ，３０，３１  ボタン部、４ａ，４ｂ  スイッチ、５ａ，５ｂ，５ｃ  機能表示文字、６  凹部。
【図２】
0005725871.tif 000002
【図３】
0005725871.tif 000003
【図４】
0005725871.tif 000004
【図１】
0005725871.tif 000005